(57)【要約】   可変制御チャンネル上で制御情報を送信するための技法が説明される。制御チャンネル資源に制御情報をマッピングするための種々の構造は、動作の構成、前記制御チャンネルに対して利用可能な資源、送信される前記制御情報のタイプ、各タイプに対する送信される前記制御情報の量、データが送信されるか否か、などのような種々の要因に依存して使用され得る。１つの設計において、送信される少なくとも１つのタイプの制御情報は、決定され、そして、チャンネル品質指標（ＣＱＩ）情報、肯定応答（ＡＣＫ）情報、および／または、他のタイプの制御情報を含み得る。前記制御チャンネルの構造は、動作の構成（例えば、ダウンリンクとアップリンクの割り当ての非対称性のようなシステム構成）および／または、他の要因に基づいて決定され得る。前記少なくとも１つのタイプの制御情報は、前記構造に基づいた前記制御チャンネルに対する前記資源にマッピングされ得る。
2010512033.tif 000002
【特許請求の範囲】
【請求項１】
送信される少なくとも１つのタイプの制御情報を決定し、動作の構成に基づいて制御チャンネルの構造を決定し、前記構造に基づいて前記制御チャンネルに対する資源に前記少なくとも１つのタイプの制御情報をマッピングするように構成される少なくとも１台のプロセッサと；
前記少なくとも１台のプロセッサに結合されるメモリ、
を備える装置。
【請求項２】
前記制御チャンネルに対する前記資源は，時間資源、周波数資源、および符号資源の少なくとも１つを含む、請求項１の装置。
【請求項３】
前記少なくとも１台のプロセッサは、前記制御チャンネルに対してサポートされた複数の構造の中からの前記制御チャンネルの前記構造を決定するように構成される、請求項１の装置。
【請求項４】
前記動作の構成は、システム構成およびユーザー装置（ＵＥ）構成の少なくとも１つに基づいて決定される、請求項１の装置。
【請求項５】
前記システム構成は、ダウンリンクとアップリンクに対する割り当てを示し、そして、前記少なくとも１台のプロセッサは、前記ダウンリンクおよびアップリンク割り当ての非対称性に基づいて前記制御チャンネルの前記構造を決定するように構成される、請求項４の装置。
【請求項６】
前記少なくとも１台のプロセッサは、前記システム構成により示されるダウンリンクとして割り当てられるサブフレームの数、およびアップリンクとして割り当てられるサブフレームの数に基づいて前記制御チャンネルの前記構造を決定するように、構成される、請求項４の装置。
【請求項７】
前記少なくとも１台のプロセッサは、前記制御チャンネルに対する資源の少なくとも１つの量と、送信される制御情報の前記少なくとも１つのタイプと、送信される各タイプの制御情報に対する制御情報の量に、さらに基づいて前記制御チャンネルの前記構造を決定するように、構成される、請求項１の装置。
【請求項８】
送信される前記少なくとも１つのタイプの制御情報は、肯定応答（ＡＣＫ）情報を含み、そして、前記少なくとも１台のプロセッサは、前記ＡＣＫ情報により肯定応答されるハイブリッド自動再送信（ＨＡＲＱ）過程の数にさらに基づいて前記制御チャンネルの前記構造を決定するように、構成される、請求項１の装置。
【請求項９】
前記少なくとも１台のプロセッサは、前記構造に基づいて、前記制御チャンネルに対する前記資源のそれぞれの部分に各タイプの制御情報をマッピングするように、構成される、請求項１の装置。
【請求項１０】
前記送信される少なくとも１つのタイプの制御情報は、チャンネル品質指標（ＣＱＩ）情報のみを含む、そして、前記少なくとも１台のプロセッサは、前記制御チャンネルに対する前記資源のすべてに前記ＣＱＩ情報をマッピングするように構成される、請求項１の装置。
【請求項１１】
前記送信される少なくとも１つのタイプの制御情報は、肯定応答（ＡＣＫ）情報のみを含む、そして、前記少なくとも１台のプロセッサは、前記制御チャンネルに対する前記資源のすべてに前記ＡＣＫ情報をマッピングするように構成される、請求項１の装置。
【請求項１２】
前記送信される少なくとも１つのタイプの制御情報は、チャンネル品質指標（ＣＱＩ）および肯定応答（ＡＣＫ）情報を含む、そして、前記少なくとも１台のプロセッサは、前記構造に基づいて前記制御チャンネルに対する前記資源に前記ＣＱＩとＡＣＫ情報をマッピングするように構成される、請求項１の装置。
【請求項１３】
前記少なくとも１台のプロセッサは、データが送信されるかどうかにさらに基づいて前記制御チャンネルの前記構造を決定するように、構成される、請求項１の装置。
【請求項１４】
データが送信されないとき前記制御チャンネルは固定量の資源を含み、データが送信されるとき可変量の資源を含む、請求項１３の装置。
【請求項１５】
前記少なくとも１台のプロセッサは、データが送信されない場合に、制御セグメントからの前記制御チャンネルに対する前記資源を決定し、および、データが送信される場合、データセグメントからの前記制御チャンネルに対する前記資源を決定するように構成される、そして、前記制御セグメントと前記データセグメントが異なる周波数位置を占める、請求項１の装置。
【請求項１６】
前記少なくとも１台のプロセッサは、データが送信されない場合に、第１の処理方式に従って前記少なくとも１つのタイプの制御情報を処理し、および、データが送信される場合に、第２の処理方式に従って前記少なくとも１つのタイプの制御情報を処理するように、構成される、請求項１の装置。
【請求項１７】
前記第１の処理方式に対して、前記少なくとも１台のプロセッサは、変調シンボルを得るために前記少なくとも１つのタイプの制御情報を処理するように、対応する変調されたＣＡＺＡＣ（一定振幅ゼロ自己相関）シーケンスを得るために変調シンボルの各々でＣＡＺＡＣシーケンスを変調するように、および、前記変調シンボルに対する変調されたＣＡＺＡＣシーケンスを前記制御チャンネルに対する前記資源にマッピングするように、構成される、請求項１６の装置。
【請求項１８】
前記第２の処理方式に対して、前記少なくとも１台のプロセッサは、前記変調シンボルを得るために前記少なくとも１つのタイプの制御情報を処理するように、前記少なくとも１つのタイプの制御情報に対する前記変調シンボルをデータに対する変調シンボルと結合させるように、および、前記結合された変調シンボルをデータセグメントに対する資源にマッピングするように、構成される、そして、前記制御チャンネルに対する前記資源は前記データセグメントに対する前記資源のサブセットである、請求項１６の装置。
【請求項１９】
前記第２の処理方式に対して、
前記少なくとも１台のプロセッサは、周波数領域シンボルを得るために前記結合された変調シンボルを時間領域から周波数領域へ変換するように、および、前記データセグメントに対する前記資源に前記周波数領域シンボルをマッピングするように、構成される、請求項１８の装置。
【請求項２０】
送信される少なくとも１つのタイプの制御情報を決定することと；
動作の構成に基づいて制御チャンネルの構造を決定することと；
前記構造に基づいて前記制御チャンネルに対する資源に前記少なくとも１つのタイプの制御情報をマッピングすること、
を含む方法。
【請求項２１】
前記動作の構成は、システム構成およびユーザー装置（ＵＥ）構成の少なくとも１つに基づいて決定される、前記システム構成はダウンリンクとアップリンクに対する割り当てを示す、そして、前記制御チャンネルの前記構造を決定することは、前記ダウンリンクおよびアップリンク割り当ての非対称性に基づいて前記制御チャンネルの前記構造を決定することを含む、請求項２０の方法。
【請求項２２】
前記送信される少なくとも１つのタイプの制御情報は肯定応答（ＡＣＫ）情報を含む、
そして、前記制御チャンネル前記構造を決定することは前記ＡＣＫ情報により確認応答されるハイブリッド自動再送信（ＨＡＲＱ）過程の数にさらに基づいて前記制御チャンネルの前記構造を決定することを含む、請求項２０の方法。
【請求項２３】
前記制御チャンネルの前記構造を決定することは、前記制御チャンネルの前記構造をデータが送信されるかどうかにさらに基づいて決定することを含む、そして、データが送信されないときは、前記制御チャンネルは固定量の資源を含み、データが送信されるときは可変量の資源を含む、請求項２０の方法。
【請求項２４】
データが送信されるかどうか判断することと；
データが送信されない場合に、制御セグメントからの前記制御チャンネルに対する前記資源を決定することと；
データが送信される場合、データセグメントからの前記制御チャンネルに対する前記資源を決定すること、そこでは前記制御セグメントと前記データセグメントは異なる周波数位置を占める、
をさらに含む請求項２０の方法。
【請求項２５】
送信される前記少なくとも１つのタイプの制御情報は、チャンネル品質指標（ＣＱＩ）情報のみ、単に肯定応答（ＡＣＫ）情報のみ、あるいはＣＱＩおよびＡＣＫ情報の両方を含む、そして、前記少なくとも１つのタイプの制御情報をマッピングすることは、前記構造に基づいて、前記ＣＱＩ情報、前記ＡＣＫ情報、あるいは前記ＣＱＩおよび前記ＡＣＫ情報の両方を、前記制御チャンネルに対する前記資源にマッピングすることを含む、請求項２０の方法。
【請求項２６】
送信される少なくとも１つのタイプの制御情報を決定するための手段と；
動作の構成に基づいて制御チャンネルの構造を決定するための手段と；
前記構造に基づいて前記制御チャンネルに対する資源に前記少なくとも１つのタイプの制御情報をマッピングするための手段、
を備える装置。
【請求項２７】
前記動作の構成は、システム構成およびユーザー装置（ＵＥ）構成の少なくとも１つに基づいて決定される、前記システム構成はダウンリンクとアップリンクに対する割り当てを示す、そして、前記制御チャンネルの前記構造を決定するための前記手段は、前記ダウンリンクおよびアップリンク割り当ての非対称性に基づいて前記制御チャンネルの前記構造を決定するための手段を備える、請求項２６の装置。
【請求項２８】
前記送信される少なくとも１つのタイプの制御情報は肯定応答（ＡＣＫ）情報を含む、
そして、前記制御チャンネルの前記構造を決定するための前記手段は、前記ＡＣＫ情報により確認応答されるハイブリッド自動再送信（ＨＡＲＱ）過程の数にさらに基づいて前記制御チャンネルの前記構造を決定するための手段を備える、請求項２６の装置。
【請求項２９】
前記制御チャンネルの前記構造を決定するための手段は、データが送信されるかどうかにさらに基づいて前記制御チャンネルの前記構造を決定するための手段を備える、そして、データが送信されないとき、前記制御チャンネルは固定量の資源を含み、データが送信されるとき、可変量の資源を含む、請求項２６の装置。
【請求項３０】
データが送信されるかどうか決定するための手段と；
データが送信されない場合、制御セグメントからの前記制御チャンネルに対する前記資源を決定するための手段と；
データが送信される場合、データセグメントからの前記制御チャンネルに対する前記資源を決定するための手段、
前記制御セグメントと前記データセグメントは異なる周波数位置を占める、
をさらに備える請求項２６の装置。
【請求項３１】
前記送信されている少なくとも１つのタイプの制御情報は、チャンネル品質指標（ＣＱＩ）情報のみ、単に肯定応答（ＡＣＫ）情報のみ、あるいはＣＱＩおよびＡＣＫ情報の両方を含む、そして、前記少なくとも１つのタイプの制御情報をマッピングするための前記手段は、前記ＣＱＩ情報、あるいは、前記ＡＣＫ情報、あるいは、前記ＣＱＩおよびＡＣＫ情報の両方を、前記構造に基づいて制御チャンネルに対する前記資源にマッピングするための手段を備える、請求項２６の装置。
【請求項３２】
機械により実行されたとき、前記機械に、
送信される少なくとも１つのタイプの制御情報の決定することと；
動作の構成に基づいて制御チャンネルの構造を決定することと；
前記構造に基づいて前記制御チャンネルに対する資源に前記少なくとも１つのタイプの制御情報をマッピングすること、
を含む動作を行なわせる命令を含む機械可読媒体。
【請求項３３】
前記動作の構成は、システム構成およびユーザー装置（ＵＥ）構成の少なくとも１つに基づいて決定される、そして、前記機械可読媒体は、機械により実行されるとき、前記機械に、前記システム構成により指示されるダウンリンクおよびアップリンクに対する割り当ての非対称性に基づいて前記制御チャンネル前記構造を決定すること、を含む動作を行なわせる命令をさらに含む、請求項３２の機械可読媒体。
【請求項３４】
受信される少なくとも１つのタイプの制御情報を決定するように、動作の構成に基づいて制御チャンネルの構造の決定するように、および、前記構造に基づいて前記制御チャンネルに対する資源から前記少なくとも１つのタイプの制御情報を受信するように、構成される少なくとも１台のプロセッサと；
前記少なくとも１台のプロセッサに結合されるメモリ、
を備える装置。
【請求項３５】
前記動作の構成は、システム構成およびユーザー装置（ＵＥ）構成の少なくとも１つに基づいて決定される、前記システム構成はダウンリンクとアップリンクに対する割り当てを示す、そして、前記少なくとも１台のプロセッサは、前記ダウンリンクおよびアップリンク割り当ての非対称性に基づいて前記制御チャンネルの前記構造を決定するように構成される、請求項３４の装置。
【請求項３６】
前記受信される少なくとも１つのタイプの制御情報は肯定応答（ＡＣＫ）情報を含む、そして、前記少なくとも１台のプロセッサは、前記ＡＣＫ情報により確認応答されるハイブリッド自動再送信（ＨＡＲＱ）過程の数にさらに基づいて前記制御チャンネルの前記構造を決定するように構成される請求項３４の装置。
【請求項３７】
前記少なくとも１台のプロセッサは、データが受信されるかどうかにさらに基づいて前記制御チャンネルの前記構造を決定するように構成される、そして、前記制御チャンネルは、データが受信されないとき、固定量の資源を含み、データが受信されるとき、可変量の資源を含む、請求項３４の装置。
【請求項３８】
前記少なくとも１台のプロセッサは、データが受信されるかどうか決定する、データが受信されない場合、制御セグメントからの前記制御チャンネルに対する前記資源を決定する、および、データが受信される場合、データセグメントからの前記制御チャンネルに対する前記資源を決定する、そして、前記制御セグメントと前記データセグメントは異なる周波数位置を占める、請求項３４の装置。
【請求項３９】
前記受信される少なくとも１つのタイプの制御情報は、チャンネル品質指標（ＣＱＩ）情報のみ、あるいは肯定応答（ＡＣＫ）情報のみ、あるいはＣＱＩおよびＡＣＫ情報の両方を含む、そして、前記少なくとも１台のプロセッサは、前記構造に基づいて前記制御チャンネルに対する前記資源からの、前記ＣＱＩ情報、あるいは前記ＡＣＫ情報、あるいは前記ＣＱＩおよびＡＣＫ情報の両方を受信するように構成される、請求項３４の装置。
【請求項４０】
受信される少なくとも１つのタイプの制御情報を決定することと；
動作の構成に基づいて制御チャンネルの構造を決定することと；
前記構造に基づいて前記制御チャンネルに対する資源から前記少なくとも１つのタイプの制御情報を受信すること、
を含む方法。
【請求項４１】
前記動作の構成は、システム構成およびユーザー装置（ＵＥ）構成の少なくとも１つに基づいて決定される、前記システム構成はダウンリンクとアップリンクに対する割り当てを示す、そして、前記制御チャンネルの前記構造を決定することは、前記ダウンリンクおよびアップリンク割り当ての非対称性に基づいて前記制御チャンネルの前記構造を決定することを含む、請求項４０の方法。
【請求項４２】
受信される少なくとも１つのタイプの制御情報を決定するための手段と；
動作の構成に基づいて制御チャンネルの構造を決定するための手段と；
前記構造に基づいて前記制御チャンネルに対する資源から前記少なくとも１つのタイプの制御情報を受信するための手段、
を備える装置。
【請求項４３】
前記動作の構成は、システム構成およびユーザー装置（ＵＥ）構成の少なくとも１つに基づいて決定される、前記システム構成はダウンリンクとアップリンクに対する割り当てを示す、そして、前記制御チャンネルの前記構造を決定するための前記手段は、前記ダウンリンクおよびアップリンク割り当ての非対称性に基づいて前記制御チャンネルの前記構造を決定するための手段を備える、請求項４２の装置。
【発明の詳細な説明】
【技術分野】
【０００１】
本出願は、２００６年７月２４日に提出され、「非対称のダウンリンクおよびアップリンク割り当てのための可変制御チャンネル構造についての方法および装置（ＭＥＴＨＯＤ  ＡＮＤ  ＡＰＰＡＲＡＴＵＳ  ＦＯＲ  ＶＡＲＩＡＢＬＥ  ＣＯＮＴＲＯＬ  ＣＨＡＮＮＥＬ  ＳＴＲＵＣＴＵＲＥ  ＦＯＲ  ＡＳＹＭＭＥＴＲＩＣ  ＤＯＷＮＬＩＮＫ  ＡＮＤ  ＵＰＬＩＮＫ  ＡＬＬＯＣＡＴＩＯＮＳ）」と題する米国仮出願番号６０／８３２，４８７、および、２００６年７月２４日に提出され、「非対称のダウンリンクおよびアップリンク位置のための可変制御チャンネル構造についての方法および装置（Ａ  ＭＥＴＨＯＤ  ＡＮＤ  ＡＰＰＡＲＡＴＵＳ  ＦＯＲ  ＶＡＲＩＡＢ１Ｅ  ＣＯＮＴＲＯ１  ＣＨＡＮＮＥ１  ＳＴＲＵＣＴＵＲＥ  ＦＯＲ  ＡＳＹＭＭＥＴＲＩＣ  ＤＯＷＮ１ＩＮＫ  ＡＮＤ  ＵＰ１ＩＮＫ  １ＯＣＡＴＩＯＮＳ）」と題する米国出願番号６０／６３３，０５４、の優先権を主張する。両者は、この譲受人に譲渡され、引用によりここに組込まれる。
【０００２】
本開示は、一般に、通信に関する。そして、より具体的には無線通信システムにおける制御情報の送信のための技法に関する。
【背景技術】
【０００３】
無線通信システムは、音声、ビデオ、パケット・データ、通信、放送などのような様々な通信サービスを提供するために広く展開する。これらの無線システムは、利用可能なシステム資源の共有により複数ユーザーをサポートすることができる多重アクセスシステムであり得る。そのような多重アクセスシステムの例はＭ符号分割多元接続方式（ＣＤＭＡ）システム、時分割多元接続方式（ＴＤＭＡ）システム、周波数分割多元接続（ＦＤＭＡ）システム、直交のＦＤＭＡ（ＯＦＤＭＡ）システムおよび単一搬送波のＦＤＭＡ（ＳＣ−ＦＤＭＡ）システムを含んでいる。
【０００４】
無線通信システムにおける、ノードＢ（すなわち基地局）は、ダウンリンク上でユーザー装置（ｕｓｅｒ  ｅｑｕｉｐｍｅｎｔ，ＵＥ）へデータを送信することができ、および／またはアップリンク上でＵＥからのデータを受信することができる。ダウンリンク（すなわちフォワードリンク）はノードＢからＵＥまで通信リンクを表す。また、アップリンク（すなわちリバース・リンク）はＵＥからノードＢまで通信リンクを表す。ノードＢは、さらに、ＵＥに制御情報（例えばシステム資源の割り当て）を送信することができる。同様に、ＵＥは、ダウンリンク上でのデータ伝送をサポートするために、および／または、他の目的のためにノードＢに制御情報を送信することができる。それは、システム性能を改善するためにデータと制御情報をできるだけ効率的に送信することが望ましい。
【発明の概要】
【０００５】
可変制御チャンネル上での制御情報の送信のための技法がここに説明される。可変制御チャンネルは、資源の可変量を含めた１つ以上のタイプの制御情報の送信をサポートすることができる。資源のマッピング制御情報について異なる構造は、動作の構成（ｏｐｅｒａｔｉｎｇ  ｃｏｎｆｉｇｕｒａｔｉｏｎ）、制御チャンネルのための利用可能な資源、送信される制御情報のタイプ、各タイプについて送信される制御情報の量、データは送信されるかどうか、などのような様々な要因に依存して使用され得る。したがって、制御チャンネルの構造は、これらの様々な要因に依存して、変化し得る。
【０００６】
１つの設計において、送信される少なくとも１つのタイプの制御情報は、決定され、チャンネル品質指標（ｃｈａｎｎｅｌ  ｑｕａｌｉｔｙ  ｉｎｄｉｃａｔｏｒ，ＣＱＩ）情報のみ、肯定応答（ａｃｋｎｏｗｌｅｄｇｅｍｅｎｔ，ＡＣＫ）情報のみ、ＣＱＩおよびＡＣＫ情報の両方、および／または、他のタイプの制御情報を含み得る。制御チャンネルの構造は、動作の構成および／または他の要因に基づいて決定され得る。動作の構成は、システム構造、ＵＥの設定などに基づいて決定され得る。システム構造は、ダウンリンクに割り当てられたサブフレームの数、およびアップリンクに割り当てられたサブフレームの数を示し得る。ＵＥ構成は、割り当てられたサブフレーム中でＵＥに適用可能なダウンリンクとアップリンクのサブフレームを示し得る。制御チャンネル構造は、ダウンリンクとアップリンクの割り当ての非対称に基づいて決定され得る。１つの設計において、制御チャンネルは、（ｉ）データが送信されていない場合、制御セグメントからの固定量の資源、あるいは（ｉｉ）データが送信される場合、データセグメントからの可変量の資源、を含み得る。少なくとも１つのタイプの制御情報は、構造に基づいて制御チャンネルのための資源にマッピングされ得る。各タイプの制御情報は、構造に基づいて制御チャンネル資源のそれぞれの部分にマッピングされ得る。
【０００７】
開示の種々の態様および機能は、下でさらに詳細に説明される。
【図面の簡単な説明】
【０００８】
【図１】無線通信システムを示す。
【図２】ダウンリンクとアップリンク上での送信の例を示す。
【図３】データと制御情報の送信に対する構成を示す。
【図４Ａ】制御情報のみの送信を示す。
【図４Ｂ】データと制御情報の送信を示す。
【図５】時分割デュプレックス（ｔｉｍｅ  ｄｉｖｉｓｉｏｎ  ｄｕｐｌｅｘ，ＴＤＤ）モードについて時間構成を示す。
【図６】非対称のダウンリンクおよびアップリンク割り当てでの送信を示す。
【図７Ａ】制御セグメントにおけるＣＱＩおよび／またはＡＣＫ情報の送信に対する制御チャンネル構造を示す。
【図７Ｂ】制御セグメントにおけるＣＱＩおよび／またはＡＣＫ情報の送信に対する制御チャンネル構造を示す。
【図７Ｃ】データセグメントにおけるＣＱＩおよび／またはＡＣＫ情報の送信に対する制御チャンネル構造を示す。
【図７Ｄ】データセグメントにおけるＣＱＩおよび／またはＡＣＫ情報の送信に対する制御チャンネル構造を示す。
【図８】制御情報の送信のプロセスを示す。
【図９】制御情報の送信のための装置を示す。
【図１０】制御情報を受信するための過程を示す。
【図１１】制御情報を受信するための装置を示す。
【図１２】ノードＢおよびＵＥのブロック図を示す。
【図１３】制御情報のための変調器のブロック図を示す。
【図１４】データと制御情報のための変調器のブロック図を示す。
【図１５】復調器のブロック図を示す。
【詳細な説明】
【０００９】
図１は、複数のノードＢ  １１０および複数のＵＥ  １２０を備えた無線通信システム１００を示す。ノードＢは、一般にＵＥと通信し、発展したノードＢ（ｅＮｏｄｅ  Ｂ）、基地局、アクセス・ポイントなどと呼ばれ得る固定局である。各ノードＢ  １１０は、それぞれ特定の地理的なエリアに対する通信サービス区域を提供し、カバレージエリア内にあるＵＥのための通信をサポートする。用語「セル」は、ノードＢおよび／または用語が使用される文脈に依存して、そのカバレージエリアを表すことができる。システム・コントローラ１３０は、ノードＢに結合されて、これらノードＢに対する調整と制御を提供することができる。システム・コントローラ１３０は、例えば、モビリティ管理エンティティ（Ｍｏｂｉｌｉｔｙ  Ｍａｎａｇｅｍｅｎｔ  Ｅｎｔｉｔｙ，ＭＭＥ）／システムアーキテクチャ発展（Ｓｙｓｔｅｍ  Ａｒｃｈｉｔｅｃｔｕｒｅ  Ｅｖｏｌｕｔｉｏｎ，ＳＡＥ）ゲートウェイ、無線ネットワーク・コントローラー（Ｒａｄｉｏ  Ｎｅｔｗｏｒｋ  Ｃｏｎｔｒｏｌｌｅｒ，ＲＮＣ）などの、単一のネットワークエンティティあるいはネットワークエンティティの集合かもしれない。
【００１０】
ＵＥ  １２０はシステムの全体にわたって分散することができる。また、各ＵＥは、それぞれ静止しているかもしれないか、移動しているかもしれない。ＵＥは、さらに、移動局、モバイル装置、端末、アクセスターミナル、加入者ユニット、局などと呼ばれるかもしれない。ＵＥは、携帯電話、携帯情報端末（ｐｅｒｓｏｎａｌ  ｄｉｇｉｔａｌ  ａｓｓｉｓｔａｎｔ，ＰＤＡ）、無線通信デバイス、ハンドヘルド装置、無線モデム、ラップトップ・コンピュータなどかもしれない。
【００１１】
ノードＢは、所定の瞬間に、ダウンリンク上で１つの以上のＵＥへデータを送信することができ、および／またはアップリンク上で１つ以上のＵＥからデータを受信することができる。ノードＢは、さらに、ＵＥに制御情報を送信することができる、および／またはＵＥから制御情報を受信することができる。図１において、２の矢を持った実線（例えばノードＢ  １１０ａとＵＥ  １２０ｂの間で）は、アップリンクとダウンリンク上でのデータの送信、およびアップリンク上での制御情報の送信を表す。ＵＥ（例えばＵＥ  １２０ｅ）を指す１つの矢を持った実線は、ダウンリンク上でのデータの送信、およびアップリンク上での制御情報の送信を表す。ＵＥ（例えばＵＥ  １２０ｃ）から指す１つの矢を持った実線は、アップリンク上でのデータと制御情報の送信を表す。ＵＥ（例えばＵＥ  １２０ａ）から指す１つの矢を持った破線は、アップリンク上での制御情報（しかしデータはない）の送信を表す。ダウンリンク上の制御情報の送信は、簡潔にするために図１に示されない。与えられたＵＥは、所定の時に、ダウンリンク上でデータを受信し、アップリンク上でデータを送信することができる、および／またはアップリンク上で制御情報を送信することができる。
【００１２】
図２は、ノードＢによるダウンリンク送信およびＵＥによるアップリンク送信の例を示す。ＵＥは、周期的にノードＢについてダウンリンクチャンネル品質を推定し、ノードＢにＣＱＩ情報を送信しすることができる。ノードＢは、ＵＥのダウンリンク（ＤＬ）データの送信に対する適当なレート（例えば符号化率および変調方式）を選択するためにＣＱＩ情報を使用することができる。送信するべきデータがあり、システム資源が利用可能な時、ノードＢは、データを処理しＵＥへ送信することができる。ＵＥは、ノードＢからのダウンリンク・データの送信を処理し、データが正確にデコードされた場合、肯定応答（ａｃｋｎｏｗｌｅｄｇｅｍｅｎｔ，ＡＣＫ）を送信することができる、または、データが誤ってデコードされた場合、否定応答（ｎｅｇａｔｉｖｅ  ａｃｋｎｏｗｌｅｄｇｅｍｅｎｔ、ＮＡＫ）送信することができる。ノードＢは、ＮＡＫが受信された場合、データを再送信し、ＡＣＫが受信された場合、新しいデータを送信することができる。
【００１３】
ＵＥは、さらに、送信するべきデータがあり、そしてＵＥにアップリンク資源を割り当てられる場合、アップリンク（ＵＬ）上でノードＢにデータを送信することができる。
【００１４】
図２に示されるように、ＵＥは、所定の時間間隔において、データおよび／または制御情報を送信することができる。あるいは両者を送信しないことができる。制御情報は、さらに、制御、オーバヘッド、シグナリングなどと呼ばれるかもしれない。制御情報は、ＡＣＫ／ＮＡＫ、ＣＱＩ、他の情報あるいはそれらの任意の組合せを含み得る。制御情報のタイプおよび量は、マルチ入力マルチ出力（ｍｕｌｔｉｐｌｅ−ｉｎｐｕｔ  ｍｕｌｔｉｐｌｅ−ｏｕｔｐｕｔ，ＭＩＭＯ）が送信のために使用されるかどうか、送信されるデータ・ストリームの数など、のような様々な要因に依存し得る。簡潔さのために、以下の説明の多くは、制御情報がＣＱＩとＡＣＫ情報を含むと仮定する。
【００１５】
システムは、ハイブリッド自動再送信（ｈｙｂｒｉｄ  ａｕｔｏｍａｔｉｃ  ｒｅｔｒａｎｓｍｉｓｓｉｏｎ，ＨＡＲＱ）をサポートすることができる。それは、さらに、増加した冗長性（ｉｎｃｒｅｍｅｎｔａｌ  ｒｅｄｕｎｄａｎｃｙ）、追跡結合（ｃｈａｓｅ  ｃｏｍｂｉｎｉｎｇ）などと呼ばれ得る。ダウンリンク上のＨＡＲＱについては、ノードＢはパケットの送信を送り、そして、パケットがＵＥにより正確に解読される、あるいは、最大の数の再送信が送られる、あるいは、他のいくつかの終了条件に遭遇するまで、１つ以上の再送信を送ることができる。ＨＡＲＱは、データ伝送の信頼性を改善することができる。
【００１６】
Ｚ個のＨＡＲＱインターレースが、定義され得る、ただしＺは任意の整数値であり得る。各ＨＡＲＱインターレースは、それぞれ、Ｚ個の時間区間により別々に間隔を置かれる時間区間を含むことができる。例えば、６つのＨＡＲＱインターレースが定義され得る、およびＨＡＲＱインターレースｚは、ｚ∈｛１，．．．，６｝に対して、時間区間ｎ＋ｚ、ｎ＋ｚ＋６、ｎ＋ｚ＋１２などを含むことができる。
【００１７】
ＨＡＲＱプロセスは、もしあるなら、パケットに対する、すべての送信および再送信を指示することができる。ＨＡＲＱプロセスは、資源が利用可能であるとき、開始することができる。そして、最初の送信後、あるいは１つ以上の後続の再送信の後に終結することができる。ＨＡＲＱプロセスには、受信機における復号結果に依存し得る可変持続期間があり得る。ＨＡＲＱプロセスは、それぞれ１つのＨＡＲＱインターレース上で送信され得る。１つの設計において、Ｚ個のＨＡＲＱプロセスまでは、Ｚ個のＨＡＲＱインターレース上で送信され得る。別の設計において、複数のＨＡＲＱプロセスは、同じＨＡＲＱインターレースにおいて異なる資源（例えばサブキャリアの異なるセット上で、あるいは異なるアンテナから）上で送信され得る。
【００１８】
ここに説明される送信技術は、ダウンリンク送信に対してもアップリンク送信に対しても使用することができる。この技法は、さらに、ＣＤＭＡ、ＴＤＭＡ、ＦＤＭＡ、ＯＦＤＭＡおよびＳＣ−ＦＤＭＡシステムのような種々の無線通信システムに対して使用され得る。「システム」、「ネットワーク」という用語は、しばしば交換可能に使用される。ＣＤＭＡシステムは、ユニバーサル・テレストリアル・ラジオ・アクセス（Ｕｎｉｖｅｒｓａｌ  Ｔｅｒｒｅｓｔｒｉａｌ  Ｒａｄｉｏ  Ａｃｃｅｓｓ，ＵＴＲＡ）、ｃｄｍａ２０００などのようなラジオ技術を実装することができる。ＵＴＲＡは、広帯域ＣＤＭＡ（Ｗ−ＣＤＭＡ）および低チップレート（Ｌｏｗ  Ｃｈｉｐ  Ｒａｔｅ，ＬＣＲ）を含んでいる。ｃｄｍａ２０００は、ＩＳ−２０００、ＩＳ−９５およびＩＳ−８５６標準をカバーする。ＴＤＭＡ方式は、グローバル移動体通信システム（ＧＳＭ）のようなラジオ技術を実装することができる。ＯＦＤＭＡシステムは、発展したＵＴＲＡ（ｅ−ＵＴＲＡ）、ＩＥＥＥ  ８０２．１１、ＩＥＥＥ  ８０２．１６、ＩＥＥＥ  ８０２．２０、フラッシュＯＦＤＭＲなどのようなラジオ技術を実装することができる、これらの各種ラジオ技術および標準は当該技術分野において知られている。ＵＴＲＡ、ｅ−ＵＴＲＡおよびＧＳＭは、ユニバーサル・モービル・テレコミュニケーション・システム（ＵＭＴＳ）の一部である。ロング・ターム・エボルーション（Ｌｏｎｇ  Ｔｅｒｍ  Ｅｖｏｌｕｔｉｏｎ，ＬＴＥ）は、ｅ−ＵＴＲＡを使用するＵＭＴＳの今度のリリースである。ＵＴＲＡ、ｅ−ＵＴＲＡ、ＧＳＭ、ＵＭＴＳおよびＬＴＥは「第３世代の協力プロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）という名の組織からのドキュメントにおいて説明される。ｃｄｍａ２０００は、「第３世代の協力プロジェクト２」（３ＧＰＰ２）という名の組織からのドキュメントにおいて説明される。明瞭さのために、技法のある態様は、ＬＴＥにおけるアップリンク送信について以下に説明される。また、３ＧＰＰ用語は、下における多くの説明に使用される。
【００１９】
ＬＴＥは、ダウンリンク上で直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，ＯＦＤＭ）を利用する、そして、アップリンク上で単一搬送波周波数分割多重（ｓｉｎｇｌｅ−ｃａｒｒｉｅｒ  ｆｒｅｑｕｅｎｃｙ  ｄｉｖｉｓｉｏｎ  ｍｕｌｔｉｐｌｅｘｉｎｇ，ＳＣ−ＦＤＭ）を利用する。ＯＦＤＭおよびＳＣ−ＦＤＭは、複数の（Ｎ個）の直交のサブキャリア（一般にトーン、ビンなどとも呼ばれる）へシステムの帯域幅を分割する。各サブキャリアは、それぞれデータにより変調され得る。一般に、変調シンボルは、ＯＦＤＭにより周波数領域、およびＳＣ−ＦＤＭにより時間領域において送信される。ＬＴＥについては、隣接したサブキャリア間の間隔は固定され得る。また、サブキャリアの合計数（Ｎ）はシステムの帯域幅に依存し得る。１つの設計において、５ＭＨｚのシステムの帯域幅についてＮ＝５１２、１０ＭＨｚのシステムの帯域幅についてＮ＝１０２４、および２０ＭＨｚのシステムの帯域幅についてＮ＝２０４８。一般に、Ｎは任意の整数値であり得る。
【００２０】
図３は、アップリンク上で、データおよび制御情報の送信について使用され得る構造３００の設計を示す。送信スケジュールは、サブフレームへ分割され得る。サブフレームには固定の持続期間（例えば１ミリセカンド）（ｍｓ）あるいは設定可能な持続期間があり得る。サブフレームは、２つのスロットへ分割され得る。そして、各スロットは、Ｌシンボル期間を含み得る。ここで、Ｌは任意の整数値（例えばＬ＝６または７）であり得る。各シンボル期間は、データ、制御情報、パイロット、あるいはそれらの任意の組合せに対して使用され得る。
【００２１】
図３に示される設計において、Ｎ個の全サブキャリアはデータセクションと制御セクションに分割され得る。図３に示されるように、制御セクションはシステムの帯域幅の端で形成され得る。制御セクションは、設定可能なサイズを持っていてもよい。それは、ＵＥによりアップリンク上で送信される制御情報の量に基づいて選択され得る。
【００２２】
データセクションは、制御セクションに含まれないサブキャリアをすべて含むことができる。図３における設計は、隣接するサブキャリアを含むデータセクションとなっており、単一のＵＥがデータセクションにおける隣接するサブキャリアのすべてを割り当てられることを可能にする。
【００２３】
ＵＥは、Ｍ個の隣接するサブキャリアの制御セグメントを割り当てられてもよい。ここでＭは、固定か設定可能な値であり得る。制御セグメントは、さらに、物理アップリンク制御チャンネル（ｐｈｙｓｉｃａｌ  ｕｐｌｉｎｋ  ｃｏｎｔｒｏｌ  ｃｈａｎｎｅｌ，ＰＵＣＣＨ）とも呼ばれ得る。１つの設計において、制御セグメントは、１２個のサブキャリアの整数倍を含むことができるＵＥは、さらにＱ個の隣接するサブキャリアのデータセグメントを割り当てられ得る。ここで、Ｑは、固定か設定可能な値であり得る。データセグメントは、さらに物理アップリンク共有チャンネル（ｐｈｙｓｉｃａｌ  ｕｐｌｉｎｋ  ｓｈａｒｅｄ  ｃｈａｎｎｅ，ＰＵＳＣＨ）と呼ばれ得る。１つの設計において、データセグメントは、１２個のサブキャリアの整数倍を含むことができる。ＵＥは、さらに、与えられたサブフレームにおいて、データセグメントあるいは制御セグメントを割り当てられないこともあり得る。
【００２４】
ＵＥが、ＳＣ−  ＦＤＭを使用して、隣接するサブキャリア上で送信することは望ましいかもしれない  。それは局所的な周波数分割多重化（ｌｏｃａｌｉｚｅｄ  ｆｒｅｑｕｅｎｃｙ  ｄｉｖｉｓｉｏｎ  ｍｕｌｔｉｐｌｅｘｉｎｇ，ＬＦＤＭ）と呼ばれる。隣接するサブキャリア上で送信することは、より低いピーク対平均値比（ｐｅａｋ−ｔｏ−ａｖｅｒａｇｅ  ｒａｔｉｏ  ，ＰＡＲ）に、結果としてなり得る。ＰＡＲは、波形の平均電力に対する波形のピーク電力の比率である。短時間最大出力パワーに近い平均出力電力で電力増幅器（ＰＡ）が動作することを低いＰＡＲが可能にすることができるので、低いＰＡＲは望ましい。これは、結果として、ＵＥに対するスループットおよび／またはリンク・マージンを改善することができる。
【００２５】
ＵＥは、システムの帯域幅の端の近くに位置する制御セグメントを割り当てられ得る。送信するべきデータがある時、ＵＥは、さらに、データセクション内のデータセグメントを割り当てられ得る。制御セグメント用のサブキャリアは、データセグメント用のサブキャリアに隣接していないかもしれない。アップリンクで送信するデータがない場合、ＵＥは、制御セグメントにおいて制御情報を送信することができる。アップリンクで送信するデータがある場合、ＵＥは、データセグメントにおいてデータおよび制御情報を送信することができる。制御情報のこの動的な送信は、データが送信されるかどうかにかかわらず、隣接するサブキャリア上でＵＥが送信することを可能にすることができ、それはＰＡＲを改善することができる。
【００２６】
図４Ａは、アップリンクで送信するデータがないとき、サブフレームにおける制御情報の送信を示す。ＵＥは、制御セグメントを割り当てられ得る。それは、サブフレームの２つのスロットにおけるサブキャリアの異なるセットにマッピングされているかもしれない。ＵＥは、各シンボル期間における制御セグメントに対して割り当てられたサブキャリア上で制御情報を送信することができる。残りのサブキャリアは、他のＵＥによりアップリンク送信用に使用され得る。
【００２７】
図４Ｂは、アップリンク上で送信するデータがあるとき、データと制御情報の送信を示す。ＵＥは、データセグメントを割り当てられ得る。それは、サブフレームの２つのスロットにおけるサブキャリアの異なるセットにマッピングされているかもしれない。ＵＥは、各シンボル期間におけるデータセグメントに割り当てられたサブキャリア上で、データおよび制御情報を送信することができる。残りのサブキャリアは、他のＵＥによりアップリンク送信用に使用され得る。
【００２８】
図４Ａおよび４Ｂは、スロットからスロットへの周波数ホッピングを示す。周波数ホッピングは、さらに、例えばシンボル期間からシンボル期間まで、サブフレームからサブフレームまで、など、他の時間区間に関して行なわれ得る。周波数ホッピングは、有害なパスの影響に対する周波数ダイバーシチおよび干渉のランダム化を提供することができる。
【００２９】
システムは、周波数分割デュプレックス（ＦＤＤ）モードおよび／または時分割デュプレックス（ＴＤＤ）モードをサポートすることができる。ＦＤＤモードにおいて、個別の周波数チャンネルは、ダウンリンクとアップリンクに対する使用され得る。そして、ダウンリンク送信およびアップリンク送信はそれらの個別の周波数チャンネル上で同時に送信され得る。ＴＤＤモードにおいて、共通の周波数チャンネルはダウンリンクとアップリンクの両方に対して使用され得る。ダウンリンク送信は、ある期間に送られ得る、および、アップリンク送信は、他の期間において送信され得る。
【００３０】
図５は、ＴＤＤモードに対して使用され得る時間構成５００を示す。送信スケジュールは、フレームの単位に分割され得る。各フレームは、それぞれ所定の持続期間（例えば１０ミリセカンド）に及び、所定の数のサブフレームに分割され得る。各フレームにおいて、ＮＤＬサブフレームは、ダウンリンクに対して割り当てられ得る。また、ＮＵＬサブフレームはアップリンクに対して割り当てられ得る。ＮＤＬとＮＵＬは、任意の適当な値かもしれない、そしてダウンリンクおよびアップリンクのトラヒック負荷、および／または、他の理由に基づいて設定可能であり得る。
【００３１】
ダウンリンクとアップリンクは、システム構成に依存して対称または非対称の割り当てがあり得る。対称なダウンリンクおよびアップリンク割り当てについて、ダウンリンク・サブフレームの数はアップリンク・サブフレームの数と等しい、つまりＮＤＬ＝ＮＵＬ。各ダウンリンク・サブフレームは、それぞれ対応するアップリンク・サブフレームに関係しているかもしれない。例えば、データ送信は、ダウンリンク・サブフレームｎにおいて送信され得る。また、データ送信についての制御情報は、対応するアップリンク・サブフレームｎにおいて送信され得る。ただしｎ∈ｅ｛１，．．．，ＮＤＬ｝。非対称のダウンリンクおよびアップリンク割り当てについて、ダウンリンク・サブフレームの数は、アップリンク・サブフレームの数と一致しない、つまりＮＤＬ≠ＮＵＬ。従って、ダウンリンクとアップリンクのサブフレーム間に１対１マッピングはなくてもよい。非対称の割り当ては、負荷条件に整合するようにシステム資源のより柔軟な割り当てを可能にするかもしれないが、システムオペレーションを複雑にするかもしれない。
【００３２】
図６は、非対称のダウンリンクおよびアップリンク割り当てでのデータ送信の例を示す。この例において、Ｍ個のダウンリンク・サブフレーム１からＭは、単一のアップリンク・サブフレーム対応付けられ得る。ただし、Ｍは任意の整数値であり得る。
【００３３】
ＵＥは、ダウンリンク・サブフレーム１からＭだけでなく、関連するアップリンク・サブフレームにおける資源を割り当てられてもよい。Ｍ個のパケットは、Ｍ個のダウンリンク・サブフレームにおけるＭ個のＨＡＲＱプロセスでＵＥに送信され得る。ＵＥは、各パケットをデコードし、そのパケットについてＡＣＫ情報を決定することができる。ＡＣＫ情報は、さらにＡＣＫフィードバックとも呼ばれ、ＡＣＫまたはＮＡＫを含み得る。ＵＥは、アップリンク・フレームにおけるＭ個のパケットすべてに対してＡＣＫ情報を送信することができる。図６において、ＡＣＫ１は、ＨＡＲＱプロセスＨ１の上で送信されたパケットについてのＡＣＫ情報である。また、ＡＣＫＭは、ＨＡＲＱプロセスＨＭの上で送信されたパケットに対するＡＣＫ情報である。ここで、Ｈ１からＨＭは任意の利用可能なＨＡＲＱプロセスであり得る。ＡＣＫ情報は、新しいパケットの送信、あるいは誤って解読されたパケットの再送信を制御するために使用され得る。
【００３４】
一態様において、可変制御チャンネルは、対称および非対称のダウンリンクおよびアップリンクの割り当ての両方をサポートするために使用され得る。制御チャンネルは、例えば、データが送信されるかどうかに依存して異なる量の資源を割り付けられてもよい。制御チャンネルは、異なるタイプの制御情報および／または異なる量の制御情報を、柔軟に送信するために使用され得る。
【００３５】
明瞭さのために、可変制御チャンネルの特定の設計が下記に説明される。
【００３６】
これらの設計において、制御チャンネルは、データが送信されていない時、制御セグメントにおける４つの資源ユニットを割り付けられ得る、そして、データが送信される時、データセグメントにおける可変の数の資源ユニットを割り付けられ得る。資源ユニットは、物理資源または論理資源に相当するかもしれない。物理資源は送信に対して使用される資源でかもしれない、そして、サブキャリア、シンボル期間などにより定義され得る。論理資源は、資源割当てを単純化するために使用されてもよく、対応付け、変換などに基づいて物理資源にマッピングされ得る。資源ユニットは、任意の寸法も持っていて、１ビット以上の制御情報を送信するために使用され得る。下記の設計において、制御チャンネルは、ＣＱＩ情報のみ、あるいは３つまでのＨＡＲＱプロセスに対するＡＣＫ情報のみ、ＣＱＩおよびＡＣＫ情報の両方、あるいは無制御情報を送信するために使用され得る。
【００３７】
図７Ａは、ＣＱＩとデータが送信されない時、制御セグメント上で３つまでのＨＡＲＱプロセスに対するＡＣＫ情報を送信するための制御チャンネル構造の設計を示す。図７Ａにおいて、制御セグメントについて４つの資源ユニットは２×２行列により表され得る。行列の１番目と２番目の行は、２つの仮想周波数資源（ｖｉｒｔｕａｌ  ｆｒｅｑｕｅｎｃｙ  ｒｅｓｏｕｒｃｅ，ＶＦＲ）Ｓ１およびＳ２にそれぞれ対応し得る。ＶＦＲは、１セットのサブキャリアかもしれないし、あるいは１セットのサブキャリアにマッピングされているかもしれない、あるいは、他のいくつかの論理または物理資源に対応し得る。行列の１番目と２番目のカラムは、１つのサブフレームの、２つのスロットＴ１およびＴ２にそれぞれ相当し得る。２×２行列の４つのブロックは、制御チャンネルに対する４つの資源ユニットに対応し得る。次の説明において、Ｈ１、Ｈ２、およびＨ３は、３つの任意の異なるＨＡＲＱプロセスであり得る。
【００３８】
１つの設計において、１つのＨＡＲＱプロセスＨ１に対するＡＣＫ情報（ＡＣＫｌ）は、構造７１２により示されるような制御セグメントに対する４つすべての資源ユニット上で送信され得る。例えば、ＡＣＫ情報は、信頼性を改善するために、４回繰り返され、４つすべての資源ユニット上で送信され得る。
【００３９】
１つの設計において、２つのＨＡＲＱプロセスＨ１およびＨ２に対するＡＣＫ情報は、構造７１４により示されるような制御セグメントに対する４つの資源ユニット上で送信され得る。この設計において、ＨＡＲＱプロセスＨ１に対するＡＣＫ情報（ＡＣＫｌ）は、スロットＴ１およびＴ２におけるＶＦＲ  Ｓ１を占める、２つの資源ユニット上で送信され得る。ＨＡＲＱプロセスＨ２に対するＡＣＫ情報（ＡＣＫ２）は、スロットＴ１およびＴ２におけるＶＦＲ  Ｓ２を占める、２つの資源ユニット上で送信され得る。
【００４０】
１つの設計において、３つのＨＡＲＱプロセスＨ１、Ｈ２およびＨ３に対するＡＣＫ情報は、構造７１６により示されるような制御セグメントに対する４つの資源ユニット上で送信され得る。この設計において、ＨＡＲＱプロセスＨ１に対するＡＣＫ情報（ＡＣＫ１）は、スロットＴ１におけるＶＦＲ  Ｓ１を占める、１つの資源ユニット上で送信され得る。ＨＡＲＱプロセスＨ２に対するＡＣＫ情報（ＡＣＫ２）は、スロットＴ１におけるＶＦＲ  Ｓ２を占める、１つの資源ユニット上で送信され得る。ＨＡＲＱプロセスＨ３（ＡＣＫ３）に対するＡＣＫ情報はスロットＴ２におけるＶＦＲ  Ｓ１を占める、１つの資源ユニット上で送信され得る。残る資源ユニットは、時分割多重（ＴＤＭ）方式において３つのＨＡＲＱプロセスにより共有され得る。例えば、この資源ユニットは、１つのサブフレームにおけるＨＡＲＱプロセスＨ１対するＡＣＫ情報、次に、次のサブフレームにおけるＨＡＲＱプロセスＨ２に対するＡＣＫ情報、次に、次のサブフレームにおけるＨＡＲＱプロセスＨ３に対するＡＣＫ情報、などに対して使用され得る。別の設計において、３つすべてのＨＡＲＱプロセスに対するＡＣＫ情報は、（４，３）ブロックコードによりコード化され、４つすべての資源ユニット上で送信され得る。３つのＨＡＲＱプロセスに対するＡＣＫ情報は、さらに他の方式においても送信され得る。
【００４１】
図７Ｂは、データが送信されない時、制御セグメント上で３つまでのＨＡＲＱプロセスに対するＣＱＩとＡＣＫ情報を送信するための制御チャンネル構造の設計を示す。１つの設計において、ＡＣＫ情報が送信されない時、構造７２０により示されるように、ＣＱＩ情報は制御セグメントに対する４つすべての資源ユニット上で送信され得る。
【００４２】
１つの設計において、１つのＨＡＲＱプロセスＨ１に対するＣＱＩおよびＡＣＫ情報は、構造７２２により示されるような制御セグメントに対する４つの資源ユニット上で送信され得る。この設計において、ＣＱＩ情報は、スロットＴ１およびＴ２におけるＶＦＲ  Ｓ１を占める、２つの資源ユニット上で送信され得る。ＨＡＲＱプロセスＨ１に対するＡＣＫ情報は、スロットＴ１およびＴ２におけるＶＦＲ  Ｓ２を占める、２つの資源ユニット上で送信され得る。
【００４３】
１つの設計において、２つのＨＡＲＱプロセスＨ１およびＨ２に対するＣＱＩおよびＡＣＫ情報は、構造７２４により示されるような制御セグメントに対する４つの資源ユニット上で送信され得る。この設計において、ＣＱＩ情報は、スロットＴ１およびＴ２におけるＶＦＲ  Ｓ１を占める、２つの資源ユニット上で送信され得る。ＨＡＲＱプロセスＨ１に対するＡＣＫ情報は、スロットＴ１におけるＶＦＲ  Ｓ２を占める、１つの資源ユニット上で送信され得る。ＨＡＲＱプロセスＨ２に対するＡＣＫ情報は、スロットＴ２におけるＶＦＲ  Ｓ２を占める、１つの資源ユニット上で送信され得る。
【００４４】
１つの設計において、３つのＨＡＲＱプロセスＨ１、Ｈ２およびＨ３に対するＣＱＩおよびＡＣＫ情報は、構造７２６により示されるような制御セグメントに対する４つの資源ユニット上で送信され得る。この設計において、ＣＱＩ情報は、スロットＴ１におけるＶＦＲ  Ｓ１を占める、１つの資源ユニット上で送信され得る。ＨＡＲＱプロセスＨ１に対するＡＣＫ情報は、スロットＴ１におけるＶＦＲ  Ｓ２を占める、１つの資源ユニット上で送信され得る。ＨＡＲＱプロセスＨ２に対するＡＣＫ情報は、スロットＴ２におけるＶＦＲ  Ｓ１を占める、１つの資源ユニット上で送信されてもよい。ＨＡＲＱプロセスＨ３に対するＡＣＫ情報は、スロットＴ２におけるＶＦＲ  Ｓ２を占める、１つの資源ユニット上で送信され得る。
【００４５】
図７Ｃは、データは送信されるがＣＱＩは送信されない時、データセグメント上で３つまでのＨＡＲＱプロセスに対するＡＣＫ情報を送信するための制御チャンネル構造の設計を示す。データセグメントは、２Ｋ個の資源ユニットを含み得る、そして、Ｋ  ｘ  ２行列により表され得る。ここで、Ｋは任意の値であり得る。行列のＫ個の行は、Ｋ  個のＶＦＲ  Ｓ１’からＳＫ’に対応し得る。ここで、Ｓ１’は、データセグメントに対するＫ個のＶＦＲの最低のインデックスおよびＳＫ’は最高のインデックスであり得る。行列の１番目と２番目の列は、１つのサブフレームの２つのスロットＴ１およびＴ２にそれぞれ対応し得る。Ｋ×２行列の２Ｋ個のブロックは、２Ｋ個の資源ユニットに対応し得る。データセグメントの資源ユニットは、制御セグメントの資源ユニットと同じか異なる次元を持ち得る。図７Ｃに示されるように、異なる数の資源ユニットは、データセグメントから取り出すことができる。そして、そのユニットは異なる量の制御情報を送信するために使用され得る。データセグメントにおける残る資源ユニットは、データを送信するために使用され得る。
【００４６】
１つの設計において、１つのＨＡＲＱプロセスＨ１に対するＡＣＫ情報は、構造７３２により示されるようなデータセグメントに対する２つの資源ユニット上で送信され得る。２つの資源ユニットは、スロットＴ１およびＴ２におけるＶＦＲ  Ｓ１’を占めることができる。残りの２Ｋ−２個の資源ユニットは、データに対して使用され得る。
【００４７】
１つの設計において、２つのＨＡＲＱプロセスＨ１およびＨ２に対するＡＣＫ情報は、構造７３４により示されるようなデータセグメントに対する４つの資源ユニット上で送信され得る。この設計において、ＨＡＲＱプロセスＨ１に対するＡＣＫ情報は、スロットＴ１およびＴ２におけるＶＦＲ  Ｓ１’を占める２つの資源ユニット上で送信され得る。ＨＡＲＱプロセスＨ２に対するＡＣＫ情報は、ＶＦＲ  Ｓ２を占める２つの資源ユニット上で送信され得る」スロットＴ１およびＴ２における。残りの２Ｋ−４個の資源ユニットは、データに対して使用され得る。
【００４８】
１つの設計において、３つのＨＡＲＱプロセスＨ１、Ｈ２およびＨ３に対するＡＣＫ情報は、構造７３６により示されるようなデータセグメントに対する６つの資源ユニット上で送信され得る。この設計において、ＨＡＲＱプロセスＨ１に対するＡＣＫ情報は、スロットＴ１およびＴ２におけるＶＦＲ  Ｓ１’を占める２つの資源ユニット上で送信され得る。ＨＡＲＱプロセスＨ２に対するＡＣＫ情報は、スロットＴ１およびＴ２におけるＶＦＲ  Ｓ２’を占める２つの資源ユニット上で送信され得る。ＨＡＲＱプロセスＨ３に対するＡＣＫ情報は、スロットＴ１およびＴ２におけるデータセグメントに対するＶＦＲ  Ｓ３’を占める２つの資源ユニット上で送信され得る。残りの２Ｋ−６個の資源ユニットは、データに対して使用され得る。
【００４９】
図７Ｄは、データが送信される時、データセグメント上で３つまでのＨＡＲＱプロセスに対するＣＱＩとＡＣＫ情報を送信する制御チャンネル構造の設計を示す。１つの設計において、ＣＱＩ情報は、構造７４０により示されるようなデータセグメントに対する２つの資源ユニット上で送信され得る。これらの２つの資源ユニットは、スロットＴ１およびＴ２におけるＶＦＲ  Ｓ１’を占めることができる。残りの２Ｋ−２個の資源ユニットは、データに対して使用され得る。
【００５０】
１つの設計において、１つのＨＡＲＱプロセスＨ１に対するＣＱＩおよびＡＣＫ情報は、構造７４２により示されるようなデータセグメントに対する４つの資源ユニット上で送信され得る。この設計において、ＣＱＩ情報は、スロットＴ１およびＴ２におけるＶＦＲ  Ｓ１’を占める２つの資源ユニット上で送信され得る。
【００５１】
ＨＡＲＱプロセスＨ１に対するＡＣＫ情報は、スロットＴ１およびＴ２におけるＶＦＲ  Ｓ２’を占める２つの資源ユニット上で送信され得る。残りの２Ｋ−４個の資源ユニットは、データに対して使用され得る。
【００５２】
１つの設計において、２つのＨＡＲＱプロセスＨ１およびＨ２に対するＣＱＩおよびＡＣＫ情報は、構造７４４により示されるようなデータセグメントに対する６つの資源ユニット上で送信され得る。この設計において、ＣＱＩ情報は、スロットＴ１およびＴ２におけるＶＦＲ  Ｓ１’を占める２つの資源ユニット上で送信され得る。ＨＡＲＱプロセスＨ１に対するＡＣＫ情報は、スロットＴ１およびＴ２におけるＶＦＲ  Ｓ２’を占める２つの資源ユニット上で送信され得る。ＨＡＲＱプロセスＨ２に対するＡＣＫ情報は、スロットＴ１およびＴ２におけるＶＦＲ  Ｓ３’を占める２つの資源ユニット上で送信され得る。残りの２Ｋ−６個の資源ユニットはデータに対して使用され得る。
【００５３】
１つの設計において、３つのＨＡＲＱプロセスＨ１、Ｈ２およびＨ３に対するＣＱＩおよびＡＣＫ情報は、構造７４６により示されるようなデータセグメントに対する８つの資源ユニット上で送信され得る。この設計において、ＣＱＩ情報は、スロットＴ１およびＴ２におけるＶＦＲ  Ｓ１’を占める２つの資源ユニット上で送信され得る。
【００５４】
ＨＡＲＱプロセスＨ１に対するＡＣＫ情報は、スロットＴ１およびＴ２におけるＶＦＲ  Ｓ２’を占める２つの資源ユニット上で送信され得る。ＨＡＲＱプロセスＨ２に対するＡＣＫ情報は、スロットＴ１およびＴ２におけるＶＦＲ  Ｓ３’を占める２つの資源ユニット上で送信され得る。ＨＡＲＱプロセスＨ３に対するＡＣＫ情報は、スロットＴ１およびＴ２におけるＶＦＲ  Ｓ４’を占める２つの資源ユニット上で送信され得る。残りの２Ｋ−８つの資源ユニットは、データに対して使用され得る。
【００５５】
図７Ａから７Ｄは、制御セグメントとデータセグメントにおける、ＣＱＩおよびＡＣＫ情報を送信する制御チャンネル構造の特定の設計を示す。これらの設計は、制御情報を送信するために利用可能な資源ユニットに対するＣＱＩおよび／またはＡＣＫ情報の特定の対応付けを示す。ＣＱＩとＡＣＫ情報は、さらに、種々の他の方式において利用可能な資源ユニットにマッピングされて得る。例のように、図７Ａの中の構造７１４を使用する代わりに、ＨＡＲＱプロセスＨ１に対するＡＣＫ情報は、（ｉ）行列の左上および右下の資源ユニット、（ｉｉ）行列の左下および右上の資源ユニット、（ｉｉｉ）行列の左上および左下の資源ユニット、など  の上で送信され得る。別の例のように、ブロックコードは送信される制御情報のすべてに対して使用され得る。そして、結果として生じたコードワードは、利用可能な資源ユニットのすべての上で送信され得る。
【００５６】
ＣＱＩとＡＣＫ情報は、例えば、時分割多重化（ＴＤＭ）、周波数分割多重化（ＦＤＭ）、符号分割多重（ＣＤＭ）、など、あるいはそれらの組合せを使用して様々な方式において多重化され得る。図７Ａ〜７Ｄによって示された設計において、ＴＤＭとＦＤＭの組合せは制御チャンネルに対する使用され得る。これらの設計において、各ＶＦＲは、それぞれ１セットのサブキャリアに対応し得る。例えば、１２個のサブキャリアが制御セグメントに対する割り付けられてもよい。各ＶＦＲはそれぞれ６個のサブキャリアに対応し得る。また、１つの資源ユニットは、１つのスロットについてＬシンボル期間における６個のサブキャリアに対応し得る。各ＨＡＲＱプロセスに対するＣＱＩあるいはＡＣＫ情報は、例えば、図７Ａ〜７Ｄに示されたように、割り当てられた資源ユニットにおいて送信され得る。
【００５７】
ＴＤＭも制御情報に対して使用され得る。この場合、与えられたスロットにマッピングされたすべての制御情報は、処理（例えば、連帯的にコード化）され、そして、そのスロットにおける制御チャンネルに対するすべてのサブキャリア上で送信され得る。一例として、図７Ｂにおける構造７２６に対して、ＨＡＲＱプロセスＨ１に対するＣＱＩおよびＡＣＫ情報は、処理され、スロットＴ１におけるすべてのサブキャリア上で送信され得る。また、ＨＡＲＱプロセスＨ２およびＨ３に対するＡＣＫ情報は、処理され、スロットＴ２におけるすべてのサブキャリア上で送信され得る。
【００５８】
ＦＤＭも制御情報に対して使用され得る。この場合、与えられたＶＦＲにマッピングされたすべての制御情報は、処理（例えば、連帯的にコード化）され、２つのスロット上のそのＶＦＲにおけるすべてのサブキャリア上で送信され得る。一例として、図７Ｂにおける構造７２６に対して、ＨＡＲＱプロセスＨ２に対するＣＱＩおよびＡＣＫ情報は、処理され、Ｔ１とＴ２の両方のスロット上のＶＦＲ  Ｓ１におけるサブキャリア上で送信され得る。また、ＨＡＲＱプロセスＨ１とＨ３に対するＡＣＫ情報は、処理され、Ｔ１とＴ２の両方のスロット上のＶＦＲ  Ｓ２におけるすべてのサブキャリア上で送信され得る。
【００５９】
ＣＤＭも制御情報に対して使用され得る。この場合、ＣＱＩとＡＣＫ情報は、直交コードで拡散され、結合され、そして、次に、制御情報を送信するために利用可能なすべての資源にマッピングされ得る。
【００６０】
制御情報も様々な変調次数により送信され得る。例えば、ＢＰＳＫは、１ビットの制御情報送信するために使用され得る、ＱＰＳＫは、２つの情報ビットを送信するために使用され得る、８−ＰＳＫが３つの情報ビットを送信するために使用され得る、１６−ＱＡＭが４つの情報ビットを送信するために使用され得るなど。
【００６１】
図７Ａ〜７Ｄにおける設計は、送信される２つのタイプの制御情報−ＣＱＩとＡＣＫ情報、を仮定する。一般に、任意の数および任意のタイプの制御情報が、制御チャンネル上で送信され得る。例えば、制御情報は、すべてのサブバンド中で１つ以上の希望のサブバンドを識別する情報、１つ以上のプリコーディング／ビームフォーミング行列あるいはＭＩＭＯ送信のために１本以上のアンテナの情報、ならびに資源要求などを含み得る。一般に、固定の、あるいは、可変の量の制御情報は、各タイプについて送信され得る。ＡＣＫ情報の量は、確認応答されているＨＡＲＱプロセスの数に依存し得る。ＣＱＩ情報の量は、（図７Ａから７Ｄに示されたように）固定、または可変（例えば、ＭＩＭＯが使用されるかどうか、ＭＩＭＯを使用して送信されるストリームの数、などに依存する）であり得る。
【００６２】
図７Ａから７Ｄにおける設計は、制御チャンネルが、（ｉ）データが送信されない場合の固定数の資源ユニット、および（ｉｉ）データが送信される場合の可変数の資源ユニット、を含むと仮定する。一般に、制御チャンネルは、（ｉ）データが送信されていない場合の、固定の、あるいは可変の数の資源ユニット、および（ｉｉ）データが送信される場合の、固定の、あるいは可変の数の資源ユニット、を含み得る。制御チャンネルに対して利用可能な資源ユニットの数は、図７Ａから７Ｄにおいて示されたのとは異なってもよい。
【００６３】
一般に、可変制御チャンネルは、下記の１つ以上に依存して、異なる構造を持ち得る：
・システム構成（例えば、ダウンリンク・サブフレームの数およびアップリンク・サブフレームの数のようなダウンリンクおよびアップリンクに対する割り当て）、
・ＵＥ構成（例えば、ＵＥに適用可能なダウンリンクとアップリンクのサブフレーム）、
・制御チャンネルに対して利用可能な資源の量、
・制御チャンネル上で送信される制御情報のタイプ（例えば、ＣＱＩおよび／またはＡＣＫ情報）、
・各タイプについて送信される制御情報の量（例えば、確認応答されているＨＡＲＱプロセスの数）、
・データは送信されるか否か、それは制御チャンネルのサイズおよび位置を決定することができる。
【００６４】
・各タイプの制御情報に対する希望の信頼性。
【００６５】
可変制御チャンネルは、資源の可変量を有する１つ以上のタイプの制御情報の送信をサポートすることができる。制御チャンネル資源に制御情報をマッピングするための種々の構造は、上に与えられたもののような様々な要因に依存して使用され得る。
【００６６】
したがって、制御チャンネルの構造は、様々な要因に依存して、変わり得る。
【００６７】
図８は、送出制御情報に対するプロセス８００の設計を示す。プロセス８００は、（例えば上に説明されたような）アップリンクに対してＵＥにより、あるいはダウンリンクに対してノードＢにより行なわれ得る。送信される少なくとも１つのタイプの制御情報は決定され得る（ブロック８１２）。  送信される制御情報は、ＣＱＩ情報のみ、ＡＣＫ情報のみ、ＣＱＩおよびＡＣＫ情報の両方、および／または、他のタイプの制御情報を含むことができる。制御チャンネルの構造は、動作の構成および／または上で言及した要因に基づいて決定され得る（ブロック８１４）。動作の構成は、システム構成（例えばダウンリンクとアップリンクの割り当ての非対称性）、ＵＥ構成（例えば適用可能なダウンリンクおよびアップリンク・サブフレーム）など、に基づいて決定され得る。複数の構造は、制御チャンネルに対してサポートされ得る。それらのいくつかの例は図７Ａから７Ｄにおける挙げられる。サポートされた構造のうちの１つは、動作の構成および／または他の要因に基づいて選択され得る。制御チャンネルは、（ｉ）データが送信されていない場合、制御セグメントからの固定量の資源、あるいは（ｉｉ）データが送信される場合、データセグメントからの可変量の資源、を含み得る制御とデータセグメントは、異なる周波数位置を占めることができる。
【００６８】
少なくとも１つのタイプの制御情報は、前記構造に基づいて制御チャンネル用資源にマッピングされ得る（ブロック８１６）。制御チャンネル資源は、時間資源（time resource）、周波数資源（frequency resource）、符号資源（code resource）、など、あるいはそれらの任意の組合せを含み得る。各タイプの制御情報は、構造に基づいて制御チャンネル資源のそれぞれの部分にマッピングされ得る。ＣＱＩ情報だけが送信され、例えば、図７Ｂにおける構造７２０、および図７Ｄにおける構造７４０により示されるように、制御チャンネル資源のすべてにマッピングされ得る。ＡＣＫ情報だけが送信され、例えば、図７Ａにおける構造７１２〜７１６および図７Ｃにおける構造７３２〜７３６により示されるように、制御チャンネル資源のすべてにマッピングされ得る。ＣＱＩとＡＣＫ情報の両方は送信され、例えば、図７Ｂにおける構造７２２〜７２６および図７Ｄにおける構造７４２〜７４６により示されるように、構造に基づいて制御チャンネルに対する資源にマッピングされ得る。
【００６９】
図９は、制御情報の送信のための装置９００の設計を示す。装置９００は、送信される少なくとも１つのタイプの制御情報を決定するための手段（モジュール９１２）と、動作の構成（例えばダウンリンクとアップリンクの割り当ての非対称性）、および／または他の要因に基づいて制御チャンネルの構造を決定するための手段（モジュール９１４）と、前記構造に基づいて制御チャンネルに対する資源に少なくとも１つのタイプの制御情報をマッピングするための手段（モジュール９１６）、を含んでいる。
【００７０】
図１０は、制御情報を受信する過程１０００の設計を示す。過程１０００は、（例えば上に説明されたように）アップリンクに対してノードＢにより、あるいはダウンリンクに対してＵＥにより行なわれ得る。受信される少なくとも１つのタイプの制御情報は決定され得る（ブロック１０１２）。制御チャンネルの構造は、ダウンリンクとアップリンクの割り当ての非対称性、および／または、他の要因を示すことができる動作の構成に基づいて、決定され得る（ブロック１０１４）。少なくとも１つのタイプの制御情報は、前記構造に基づいた制御チャンネルに対する資源から受信され得る（ブロック１０１６）。例えば、ＣＱＩ情報、ＡＣＫ情報、あるいはＣＱＩおよびＡＣＫ情報の両者は、構造に基づいた制御チャンネルに対する資源から受信され得る。
【００７１】
図１１は、制御情報を受信する装置１１００の設計を示す。装置１１００は、受信されている少なくとも１つのタイプの制御情報を決定するための手段（モジュール１１１２）、動作の構成（ｏｐｅｒａｔｉｎｇ  ｃｏｎｆｉｇｕｒａｔｉｏｎ）および／または他の要因に基づいて制御チャンネルの構造を決定するための手段（モジュール１１１４）、および前記構造に基づいて制御チャンネル用の資源から少なくとも１つのタイプの制御情報を受信するための手段（モジュール１１１６）、を含んでいる。
【００７２】
図９および１１におけるモジュールは、プロセッサ、エレクトロニクス装置、ハードウェアデバイス、エレクトロニクス・コンポーネント、論理回路、メモリなど、あるいはそれらの任意の組合せを含み得る。
【００７３】
図１２は、ノードＢ  １１０およびＵＥ  １２０の設計のブロック図を示す。それは、図１における、ノードＢのうちの１つ、およびＵＥのうちの１つである。ＵＥ  １２０において、送信（ＴＸ）データおよび制御プロセッサ１２１０は、コントローラ／プロセッサ１２４０からのデータソース（示されていない）からアップリンク（ＵＬ）データおよび／または制御情報を受け取ることができる。プロセッサ１２１０は、データと制御情報を処理（例えばフォーマット、コード化、インターリーブおよびシンボルマッピング）し、変調シンボルを提供することができる。変調器（ＭＯＤ）１２２０は、下記に述べられるように変調シンボルを処理し、出力チップを提供することができる。送信機（ＴＭＴＲ）１２２２は、出力チップを処理（例えば、アナログ信号へ変換、増幅、フィルタ、および周波数アップコンバート）し、アップリンク信号を生成することができる。それはアンテナ１２２４を介して送信され得る。
【００７４】
ノードＢ  １１０で、アンテナ１２５２は、ＵＥ  １２０および他のＵＥからアップリンク信号を受信し、受信機（ＲＣＶＲ）１２５４に受信信号を供給することができる。受信機１２５４は、受信信号を調整（例えば、フィルタ、増幅、周波数ダウンコンバート、およびディジタル化）し、受信サンプルを提供することができる。復調器（ＤＥＭＯＤ）１２６０は、下記に述べられるような受信サンプルを処理し、復調されたシンボルを提供することができる。受信（Ｒｘ）データおよび制御プロセッサ１２７０は、ＵＥ  １２０および他のＵＥに対する復号データと制御情報を得るために復調されたシンボルを処理（例えば、シンボルデマップ、デインターリーブ、およびデコード）することができる。
【００７５】
ダウンリンクにおいては、ノードＢ  １１０において、ＵＥに送信されるダウンリンク（ＤＬ）データおよび制御情報は、ＴＸデータおよび制御プロセッサ１２９０により処理され、変調器１２９２（例えばＯＦＤＭについて）により変調され、送信機１２９４により調整されて、アンテナ１２５２を介して送信され得る。ＵＥ  １２０において、ノードＢ  １１０およびことによると他のノードＢからのダウンリンク信号は、アンテナ１２２４により受信され、受信機１２３０により調整され、復調器１２３２（例えばＯＦＤＭについて）により復調され、ＵＥ  １２０にノードＢ  １１０により送信されたダウンリンク・データおよび制御情報を再生するためにＲｘデータおよび制御プロセッサ１２３４により処理され得る。一般に、アップリンク送信に対する処理は、ダウンリンク送信に対する処理に類似しているかもしれない、あるいは異なっているかもしれない。
【００７６】
コントローラ／プロセッサ１２４０および１２８０は、それぞれ、ＵＥ  １２０およびノードＢ  １１０における動作を指示することができる。メモリ１２４２および１２８２は、それぞれ、ＵＥ  １２０およびノードＢ  １１０に対するデータとプログラムコードを記憶することができる。スケジューラ１２８４は、ダウンリンクおよび／またはアップリンク送信に対するＵＥをスケジュールし、スケジュールされたＵＥに対するシステム資源（例えばダウンリンクおよび／またはアップリンク用サブキャリアの割り当て）の割り当てを供給することができる。
【００７７】
図１３は、制御情報に対する変調器１２２０ａの設計のブロック図を示す。変調器１２２０ａは、データが送信されない時、図１２におけるＵＥ  １２０において変調器１２２０として使用され得る。
【００７８】
ＴＸ制御プロセッサ１３１０（それは図１２における、ＴＸデータおよび制御プロセッサ１２１０の一部かもしれない）は、サブフレームにおいて送信されるＣＱＩおよび／またはＡＣＫ情報を受信し処理することができる。１つの設計において、ＡＣＫ情報が与えられたスロットにおいて送信される場合には、ＴＸ制御プロセッサ１３１０は、例えば、１つのＱＰＳＫ値（例えば１＋ｊ）にＡＣＫをマッピングし、別のＱＰＳＫ値（例えば−１−ｊ）にＮＡＫをマッピングすることにより、各ＨＡＲＱ過程のＡＣＫ／ＮＡＫに対する変調シンボルを生成することができる。次に、プロセッサ１３１０は、１つのスロットにおけるＬ個のシンボル期間に対するＬ個の変調シンボルを得るために、各ＨＡＲＱ過程のＱＰＳＫシンボルを繰り返し、各シンボル期間における１つの変調シンボルを供給することができる。ＣＱＩ情報が与えられたスロットにおいて送信される場合には、ＴＸ制御プロセッサ１３１０は、コードビットを得るためにブロックコードに基づいてＣＱＩ情報をコード化することができる、さらに、そのコードビットをＬ個の変調シンボルにマッピングし、そして、各シンボル期間における１つの変調シンボルを供給する。ＣＱＩとＡＣＫ情報の両方が、与えられたスロットにおいて送信される場合には、ＴＸ制御プロセッサ１３１０は、コードビットを得るために別のブロックコードに基づいて連帯してＣＱＩおよびＡＣＫ情報をコード化することができ、そのコードビットをＬ個の変調シンボルにマッピングすることができ、そして、各シンボル期間に１つの変調シンボルを供給する。別の設計において、プロセッサ１３１０は、ＣＱＩとＡＣＫ情報を別々に処理し、例えば、図７ａおよび７Ｂに示されたように、各シンボル期間に、２個のＶＦＲ  Ｓ１およびＳ２に対してＣＱＩとＡＣＫの２個の変調シンボルを供給することができる。
【００７９】
ＴＸ制御装置１３１０は、さらに、他の方式においてＣＱＩおよび／またはＡＣＫに対する変調シンボルを生成することができる。
【００８０】
変調器１２２０ａの内では、ユニット１３２２は、ＴＸ制御装置１３１０からＣＱＩおよび／またはＡＣＫに対する変調シンボル（例えば各シンボル期間における１つあるいは２つの変調シンボル）を受け取ることができる。各変調シンボルについて、ユニット１３２２は、変調されたシンボルを持った対応する変調されたＣＡＺＡＣ（一定振幅ゼロ自己相関（ｃｏｎｓｔａｎｔ  ａｍｐｌｉｔｕｄｅ  ｚｅｒｏ  ａｕｔｏ−ｃｏｒｒｅｌａｔｉｏｎ））シーケンスを得るためにその変調シンボルに対してＣＡＺＡＣシーケンスを変調することができる。ＣＡＺＡＣシーケンスは、良い時間特性（例えば一定の時間領域エンベロープ）および良いスペクトル特性（例えば水平な周波数スペクトル）をもつシーケンスである。いくつかの例ＣＡＺＡＣシーケンスは、Ｃｈｕシーケンス、Ｚａｄｏｆｆ−Ｃｈｕ・シーケンス、Ｆｒａｎｋシーケンス、一般化されたチャープ状のシーケンス（ｇｅｎｅｒａｌｉｚｅｄ  ｃｈｉｒｐ−ｌｉｋｅ，ＧＣＬ）、Ｇｏｌｏｍｂシーケンス、Ｐ１、Ｐ３、Ｐ４およびＰｘシーケンス、などを含んでおり、それらは当該技術分野において知られている。各シンボル期間において、ユニット１３２２は、ＵＥ  １２０に割り当てられた制御セグメントにおけるＭ個のサブキャリアに対するＭ個の変調されたシンボルを供給することができる。
【００８１】
スペクトルの整形ユニット１３３０は、各シンボル期間にＭ個の変調されたシンボル上でスペクトルの整形を行ない、そして、Ｍ個のスペクトル整形されたシンボルを供給することができる。シンボルからサブキャリアへのマッピングユニット１３３２は、Ｍ個のスペクトル整形されたシンボルを、ＵＥ  １２０に割り当てられた制御セグメントにおいてＭ個のサブキャリアにマッピングし、そして、残りのサブキャリアに、０の信号値を持った０のシンボルをマッピングすることができる。逆離散フーリエ変換（ＩＤＦＴ）ユニット１３３４は、マッピングユニット１３３２から合計Ｎ個のサブキャリアに対するＮ個のマッピングされたシンボルを受け取り、そして、周波数領域から時間領域へシンボルを変換するためにこれらのＮ個のシンボルについてＮポイントＩＤＦＴを行ない、Ｎ個の時間領域出力チップを供給することができる。各出力チップは、それぞれ１チップ周期に送信される複素数値である。並直列変換器（Ｐ／Ｓ）１３３６は、Ｎ個の出力チップを連続させて、ＳＣ−ＦＤＭシンボルの有用な部分を供給することができる。周期的なプリフィックス発生器１３３８は、前記有用な部分の最後のＣ個の出力チップをコピーし、これらのＣ出力チップを、前記有用な部分の前部に付加して、Ｎ＋Ｃ個の出力チップを含んでいるＳＣ−ＦＤＭシンボルを形成することができる。周期的なプリフィックスは、周波数選択性フェージングにより引き起こされる符号間干渉（ＩＳＩ）を抑制するために使用される。ＳＣ−ＦＤＭシンボルは、１つのＳＣ−ＦＤＭシンボル期間において送信され得る。それはＮ＋Ｃチップ周期と等しいかもしれない。
【００８２】
図１４は、データと制御情報用の変調器１２２０ｂの設計のブロック図を示す。データが送信される場合、変調器１２２０ｂは、図１２における変調器１２２０として使用され得る。ＴＸ制御プロセッサ１３１０は、制御情報を処理し、そして、変調器１２２０ｂに制御情報として変調シンボルを供給することができる。ＴＸデータプロセッサ１３１２（それは図１２における、ＴＸデータおよび制御プロセッサ１２１０の一部であり得る）は、送信するためのデータを受け取り、コードビットを得るためにコーディング方式に基づいてコード化し、コードビットをインターリーブし、そして、そのインターリーブされたビットを変調方式に基づいて変調シンボルにマッピングすることができる。
【００８３】
変調器１２２０ｂの内では、直並列変換器（Ｓ／Ｐ）１３２６は、ＴＸ制御プロセッサ１３１０から変調シンボルを受け取り、そして、ＴＸデータプロセッサ１３１２から変調シンボルを受け取ることができる。Ｓ／Ｐ  １３２６は、各シンボル期間にＱ個の変調シンボルを供給することができる。ここで、Ｑは、ＵＥ  １２０に割り当てられたデータセグメントにおけるサブキャリアの数である。離散的フーリエ変換（ＤＦＴ）ユニット１３２８は、これらのシンボルを、時間領域から周波数領域へ変換するために、Ｑ個の変調シンボルについてＱ−ポイントＤＦＴを行ない、Ｑ個の周波数領域シンボルを供給することができる。スペクトル整形ユニット１３３０は、Ｑ個の周波数領域シンボルについてスペクトル整形を行ない、Ｑ個のスペクトル整形されたシンボルを供給することができる。シンボルからサブキャリアへのマッピングユニット１３３２は、Ｑ個のスペクトル整形されたシンボルを、データセグメントにおけるＱ個のサブキャリアにマッピングすることができる、そして、残りのサブキャリアに０のシンボルをマッピングすることができる。ＩＤＦＴユニット１３３４は、ユニット１３３２からのＮ個のマッピングシンボルにＮポイントＩＤＦＴを行いそして、Ｎ個時間領域出力チップを供給することができる。Ｐ／Ｓ１３３６は、Ｎ個の出力チップを連続することができ、そして、周期的なプリフィックス発生器１３３８は、Ｎ＋Ｃ個の出力チップを含んでいるＳＣ−ＦＤＭシンボルを形成するために周期的なプリフィックスを付加することができる。
【００８４】
図１３および１４は、データを伴わない制御情報、およびデータを伴う制御情報、の送信の設計例をそれぞれ示す。制御情報は、さらに、様々な他の方式において送信され得る。別の設計において、図１４に示される設計と同様に、制御情報だけが送信される場合、ＣＱＩおよび／またはＡＣＫ情報は、個別にコード化され、多重化され、ＤＦＴにより変換され、制御セグメント用サブキャリアにマッピングされ得る。別の設計において、ＣＱＩおよび／またはＡＣＫ情報は、連帯でコード化され、多重化され、ＤＦＴにより変換され、制御セグメント用サブキャリアにマッピングされ得る。制御情報は、さらに、図１４に示される設計と別の、他の設計に基づいてデータと共に送信され得る。
【００８５】
図１３および１４に示される設計において、制御情報は、データが送信されない時、第１の処理方式に基づいて処理され得る、そして、データが送信される時、別の処理方式に基づいて処理され得る。単独で送信される時、制御情報は、より低いＰＡＲを達成するためにＣＡＺＡＣシーケンスを使用して送信され得る。データと共に送信される時、制御情報はデータと共に多重化され、データと同様の方法において処理され得る。
【００８６】
制御情報は、さらに他の方式においても処理され得る。例えば、制御情報は、例えば、直交符号で制御情報に対する各変調シンボルを拡散し、そ、拡散された変調シンボルを制御チャンネル用の資源にマッピングすることにより、ＣＤＭを使用して送信され得る。
【００８７】
図１５は、図１２におけるノードＢ  １１０の復調器１２６０の設計のブロック図を示す。復調器１２６０内では、周期的なプリフィックス削除ユニット１５１０は、各ＳＣ−ＦＤＭシンボル期間におけるＮ＋Ｃ個の受信サンプルを得て、周期的なプリフィックスに対応するＣ個のサンプルを除去し、受信ＳＣ−ＦＤＭシンボルの有用な部分に対するＮ個の受信サンプルを供給することができる。Ｓ／Ｐ  １５１２は、Ｎ個の並列の受信サンプルを供給することができる。ＤＦＴユニット１５１４は、Ｎ個の受信サンプルについてＮ−ポイントＤＦＴを行ない、合計Ｎ個のサブキャリアに対するＮ個の受信シンボルを供給することができる。Ｎ個の受信シンボルは、ノードＢ  １５０に送信するすべてのＵＥに対する、データおよび制御情報を含んでいてもよい。ＵＥ  １２０からの制御情報および／またはデータを再生する処理が下に説明される。
【００８８】
制御情報とデータがＵＥ  １２０により送信される場合には、シンボル―サブキャリア・デマッピング・ユニット１５１６は、ＵＥ  １２０に割り当てられたデータセグメントに対するＱ個のサブキャリアから、Ｑ個の受信シンボルを供給することができる、そして、残りの受信シンボルを廃棄することができる。ユニット１５１８は、ＵＥ  １２０により行なわれたスペクトル整形に基づいてＱ個の受信シンボルのスケーリングを行うことができる。ユニット１５１８は、さらに、チャンネル利得推定値を持ったＱ個のスケールされたシンボル上で、データ検出（例えばマッチトフィルタリング、等化、など）を行ない、そしてＱ個の検出されたシンボルを供給することができる。ＩＤＦＴユニット１５２０は、Ｑ個の検出されたシンボル上でＱ−ポイントＩＤＦＴを行ない、データと制御情報に対するＱ個の復調シンボルを供給することができる。Ｐ／Ｓ  １５２２は、Ｒｘデータプロセッサ１５５０にデータの復調シンボルを供給すること、およびマルチプレクサ（Ｍｕｘ）１５３２（それはＲｘ制御プロセッサ１５５２にこれらのシンボルを供給することができる。）に制御情報の復調シンボルを供給することができる。プロセッサ１５５０および１５５２は、図１２における、Ｒｘデータおよび制御プロセッサ１２７０の一部であり得る。Ｒｘデータプロセッサ１５５０は、データの復調シンボルを処理（例えば、シンボルデマップ、デインターリーブ、デコード）し、復号データを供給することができる。Ｒｘ制御プロセッサ１５５２は、制御情報の復調シンボルを処理し、デコードされた制御情報（例えばＣＱＩおよび／またはＡＣＫ）を供給することができる。
【００８９】
データのない制御情報が、ＵＥ  １２０により送信される場合には、シンボル−サブキャリア・デマッピング・ユニット１５１６は、ＵＥ  １２０に割り当てられた制御セグメントに対するＭ個のサブキャリアからＭ個の受信シンボルを供給することができ、そして、残る受信シンボルを廃棄することができる。ＣＡＺＡＣシーケンス検出器１５３０は、そのシンボル期間のＭ個の受信シンボルに基づいて、シンボル期間において送信されたことが最もありそうな１つ以上の変調シンボルを検出することができる。検出器１５３０は、制御情報の復調されたシンボルを供給することができる。それはマルチプレクサ１５３２を通して転送され、Ｒｘ制御プロセッサ１５５２に供給され得る。
【００９０】
示されたプロセスのステップの特定の順序または階層が、典型的なアプローチの例であることは理解される。設計の選択に際して、開示の範囲内にとどまる中で、プロセスのステップの特定の順序または階層が並べ換えられてもよいことは理解される。
【００９１】
随伴する方法は、例の順序における種々のステップの現存の要素を主張する、そして、提示された特定の順序あるいは階層に制限されるべきではない。
【００９２】
当業者は、情報と信号が様々な異なる技術および技法のうちのどれでも使用して表され得ると理解するだろう。例えば、上記の説明の全体にわたって参照され得るデータ、命令、コマンド、情報、信号、ビット、シンボルおよびチップは、電圧、電流、電磁波、磁場、磁気粒子、光学場、光学粒子、あるいはそれらの任意の組合せにより表され得る。
【００９３】
当業者は、さらに、ここに開示に関して説明された、様々な実例となる論理ブロック、モジュール、回路、およびアルゴリズム・ステップが、電子ハードウェア、コンピュータ・ソフトウェアあるいは両方の組合せとして、インプリメントされ得ることを認識するだろう。ハードウェアとソフトウェアのこの互換性を明白に示すために、様々な実例となるコンポーネント、ブロック、モジュール、回路およびステップは、それらの機能の点から一般に上で説明された。そのような機能がハードウェアまたはソフトウェアとして実装されるかどうかは、システム全体に課された特定の用途と設計の制約に依存する。当業者は、各特定の用途のための様々方法で説明された機能をインプリメントすることができる。しかし、そのようなインプリメンテーションの決定は、現在の開示の範囲からの逸脱を引き起こすとは解釈されるべきでない。
【００９４】
ここの開示に関して説明された様々な実例となる論理ブロック、モジュール、および回路は、汎用プロセッサ、ディジタル信号プロセッサ（ＤＳＰ）、特定用途向けＩＣ（ＡＳＩＣ）、フィールドプログラマブルゲートアレイ（ＦＰＧＡ）あるいは他のプログラマブルロジックデバイス、個別のゲートかトランジスター・ロジック、個別のハードウェア構成機器、あるいはここに説明された機能を行なうことを目指したそれらの任意の組合せによりインプリメントされてもよいし行なわれてもよい。汎用プロセッサは、マイクロプロセッサかもしれない。しかし、他の選択肢において、プロセッサは任意の従来のプロセッサ、コントローラ、マイクロコントローラあるいは状態機械かもしれない。プロセッサは、さらに、コンピューティング装置（例えばＤＳＰとマイクロプロセッサの組合せ、複数個のマイクロプロセッサ、ＤＳＰコアに関連して１個以上のマイクロプロセッサ、あるいは他のそのような構成）の組合せとしてインプリメントされ得る。
【００９５】
開示に関してここに説明された方法またはアルゴリズムのステップは、ハードウェア、プロセッサにより実行されるソフトウェアモジュール、あるいは２つの組合せで直接具体化され得る。ソフトウェアモジュールは、ＲＡＭメモリ、フラッシュ・メモリ、ＲＯＭメモリ、ＥＰＲＯＭメモリ、ＥＥＰＲＯＭメモリ、レジスタ、ハードディスク、取外し可能ディスク、ＣＤ−ＲＯＭあるいは技術において既知の他の形式の記憶媒体に存在することができる。典型的な記憶媒体は、プロセッサがその記憶媒体から情報を読むことができ、かつ、その記憶媒体の情報を書き込むことができるプロセッサに結合されている。あるいは、記憶媒体はプロセッサに内蔵されているかもしれない。プロセッサと記憶媒体はＡＳＩＣに存在することができる。ＡＳＩＣはユーザー端末に存在することができる。あるいは、プロセッサと記憶媒体はユーザー端末の個別部品として存在することができる。
【００９６】
開示の前の説明は、任意の当業者が開示を作るか使用することを可能にするために提供される。開示の様々な修正は当業者に容易に明白になる。また、ここに定義された一般的な法則は、開示の範囲から外れずに、他の変形に適用され得る。したがって、その開示は、ここに説明された設計や例に限定されるようには意図されず、ここに示された法則および新規な特徴と一致する最も広い範囲を与えられることになっている。
【図１】
2010512033.tif 000003
【図２】
2010512033.tif 000004
【図３】
2010512033.tif 000005
【図４Ａ】
2010512033.tif 000006
【図４Ｂ】
2010512033.tif 000007
【図５】
2010512033.tif 000008
【図６】
2010512033.tif 000009
【図７Ａ】
2010512033.tif 000010
【図７Ｂ】
2010512033.tif 000011
【図７Ｃ】
2010512033.tif 000012
【図７Ｄ】
2010512033.tif 000013
【図８】
2010512033.tif 000014
【図９】
2010512033.tif 000015
【図１０】
2010512033.tif 000016
【図１１】
2010512033.tif 000017
【図１２】
2010512033.tif 000018
【図１３】
2010512033.tif 000019
【図１４】
2010512033.tif 000020
【図１５】
2010512033.tif 000021
【国際調査報告】
2010512033.tif 000022
2010512033.tif 000023
2010512033.tif 000024